(57)【要約】【課題】シート体を清掃用具本体である支持板に固定する際にシート体を指先で保持部に押し込む必要がなく、且つ固定した状態での保持力が強い清掃用具を提供する。【解決手段】  略矩形薄形の支持体の上面側にシート体を係止させる係止部を複数カ所形成する。各係止部を形成する支持体部には上面板と底面板を設けてその間に空隙を形成し、上面板に１乃至複数個の孔を形成する。各係止部はその孔と、孔を開閉自在に塞いで塞いだ状態で空隙に突出する突起を下面側に突出形成した蓋体とで構成する。蓋体は屈曲可能な弾性材料で略矩形薄板状に形成し、その一辺部を支持体の上面に固定する。支持体の底面側を包むようにシート体を装着し、一端を持ち上げた蓋体と上面板の間にシート体端部を引き込み、シート体を挟んだ状態で蓋体の突起を上面板の孔に押し込む。【選択図】図１
0003171189.tif 000002
【実用新案登録請求の範囲】
【請求項１】
平面視略矩形で薄形の支持体の底面側を包むようにシート体を装着して上面に柄を取り付けた清掃用具において、
前記支持体の上面側には前記シート体を係止させる係止部が複数カ所形成されており、
各係止部が形成された部分の前記支持体部は上面板と底面板を有してその間に空隙が形成されて上面板には１乃至複数個の孔が形成されており、
前記各係止部は前記孔と、その孔を開閉自在に塞いで塞いだ状態では前記空隙に突出する長さの突起を下面側に突出形成した蓋体とで構成され、該蓋体は屈曲可能な弾性を有する材料にて略矩形の薄板状に形成されてその一辺部が前記支持体の上面に固定されていることを特徴とする清掃用具。
【請求項２】
請求項１に記載の清掃用具において、前記係止部が形成された部分の前記支持体部は上面高さが前記薄板状蓋体の厚み分だけ他の部分より低く形成して蓋体上面高さと支持体の他の部分の上面高さが一致するように形成されていることを特徴とする清掃用具。
【請求項３】
請求項１又は２に記載の清掃用具において、前記支持体の上面の短辺幅は底面の短辺幅より狭く形成してあり、前記略矩形の蓋体は前記一辺部を支持体の上面の短辺幅中央寄りに固定取り付けしてあり、該一辺部に対向する辺縁は前記支持体の上面の辺縁より外側で、且つ底面の辺縁より内側に位置するように取り付けられていることを特徴とする清掃用具。
【考案の詳細な説明】
【技術分野】
【０００１】
本考案は清掃用拭紙、拭布等のシート体を装着して床面、窓ガラス等の清掃に使用する清掃用具に関し、特にはシート体の清掃用具本体への装着を確実にする装着構造に関する。
【背景技術】
【０００２】
床面、窓ガラス等の清掃に使用する清掃用具として清掃用具本体である略長方形支持板の上面中央部に傾動自在の長柄や短い固定把手を取り付け、支持板底面を包むように使い捨ての清掃用拭紙、拭布等のシート体を装着して使用するものがある（特許文献１〜４参照）。図８はその一例の外観図であり、支持板５１の上面には支持板底面に巻き付けたシート体５２を保持するための保持部５３が両側長辺に沿って４個設けられている。
【０００３】
保持部５３は弾性を有する合成樹脂の薄板を用いて図９に示すような楕円形に形成され、中央部にはスリット５５を放射状に形成して６個の三角形状フラップ５６が設けられている。保持部５３は外周部が支持板５１の上面に固定され、中央部下面に当たる支持板５１の上面部は切り欠いて空洞が形成されている。
【０００４】
シート体５２を固定する際は、シート体５２の端部を保持部５３の上に引き渡し、図１０に示すように指先５７でシート体５２をフラップ５６の間に押し込む。指先５７を引き抜くと、シート体５２は弾性を有する三角形状フラップ５６間のスリット５５部に挟持状態で保持される。
【０００５】
このようなシート体５２による保持構造は、保持部５３の構造が比較的簡単であることから多用されている。しかし、この構造の場合、シート体５２を固定させるためには指先５７でシート体５２をフラップ５６間に押し込む必要がある。フラップ５６による挟持力を高めるためにフラップ５６の弾性を強くすると、指先５７が痛んだり傷ついたりする。指先５７にマニキュアをしていた場合にはマニキュアに傷がついたり剥がれたりする。反対にフラップ５６の弾性を弱くすると少しの力でシート体５２が保持部５３から外れてしまう問題がある。
【先行技術文献】
【特許文献】
【０００６】
【特許文献１】実開昭４９−６８２６３号公報
【特許文献２】実用新案登録第２５０７３００号公報
【特許文献３】登録実用新案第３０２３１６７号公報
【特許文献４】特開２００６−２３９１７４号公報
【考案の開示】
【考案が解決しようとする課題】
【０００７】
本考案は、従来技術のこうした問題点を解決するためになされたもので、その課題はシート体を清掃用具本体の底面を包むように巻き付け装着して使用する清掃用具において、シート体を清掃用具本体である支持板に固定する際にシート体を指先で保持部に押し込む必要がなく、且つ固定した状態での保持力が強い清掃用具を提供することにある。
【課題を解決するための手段】
【０００８】
前記課題を解決するための請求項１に記載の考案は、平面視略矩形で薄形の支持体の底面側を包むようにシート体を装着して上面に柄を取り付けた清掃用具において、支持体の上面側にはシート体を係止させる係止部が複数カ所形成されており、各係止部が形成された部分の支持体部は上面板と底面板を有してその間に空隙が形成されて上面板には１乃至複数個の孔が形成されており、各係止部は孔と、その孔を開閉自在に塞いで塞いだ状態では空隙に突出する長さの突起を下面側に突出形成した蓋体とで構成され、該蓋体は屈曲可能な弾性を有する材料にて略矩形の薄板状に形成されてその一辺部が支持体の上面に固定されていることを特徴とする清掃用具である。
【０００９】
このような構成によれば清掃用具の突起は弾性体で形成されているので、シート体の厚みに合わせて突起側面と孔内面間の隙間を調整しておくことでシート体の端部を強固に固定することができる。また、シート体の固定に際して従来品のように指先でシート体を先の尖ったフラップ間に押し込む必要がないため、指先が痛んだり傷ついたり、マニキュアに傷がついたり剥がれたりする心配のない利点を有する。
【００１０】
また、請求項２に記載の考案は、請求項１に記載の清掃用具において、係止部が形成された部分の支持体部は上面高さが前記薄板状蓋体の厚み分だけ他の部分より低く形成して蓋体上面高さと支持体の他の部分の上面高さが一致するように形成されていることを特徴とする清掃用具である。
【００１１】
このような構成によれば支持体下面から支持体最高位置までの厚みを薄くすることができのため、柄の取り付け方を工夫することで上下間隔の狭い個所にも清掃用具を進入させることができる。
【００１２】
また、請求項３に記載の考案は、請求項１又は２に記載の清掃用具において、支持体の上面の短辺幅は底面の短辺幅より狭く形成してあり、略矩形の蓋体は一辺部を支持体の上面の短辺幅中央寄りに固定取り付けしてあり、該一辺部に対向する辺縁は支持体の上面の辺縁より外側で、且つ底面の辺縁より内側に位置するように取り付けられていることを特徴とする清掃用具である。
【００１３】
このような構成によれば蓋体の上面に把手やつまみを設けなくも、蓋体の固定されていない側の辺縁に指を掛けて蓋体を上方に開かせることができる。
【図面の簡単な説明】
【００１４】
【図１】本考案に係る清掃用具１の全体斜視図である。
【図２】清掃用具１にシート体２を取り付けた状態の斜視図である。
【図３】図１のＡ−Ａ線に沿った支持体３の端面図である。
【図４】係止部５の構造を示す斜視図である。
【図５】対向する左右の蓋体１２の開放端部を持ち上げた状態の端面図である。
【図６】シート体２を支持体３の底面側を包むように巻き付けて端部を蓋体１２と上面板６との間に引き込んだ状態の端面図である。
【図７】シート体２を係止部５で固定した状態の端面図である。
【図８】従来の清掃用具の外観図の例である。
【図９】従来の清掃用具におけるシート体保持部の例である。
【図１０】従来の清掃用具でシート体を保持部に固定する方法の説明図である。
【考案を実施するための形態】
【００１５】
以下、本考案に係る清掃用具の一実施形態について図面を参照して説明する。図１は本考案に係る清掃用具１の全体斜視図、図２は清掃用具１にシート体２を取り付けた状態の斜視図である。清掃用具１はシート体２を装着する支持体３と、その上面に取り付けた柄４とからなる。柄４は、本実施形態では固定式の柄を採用しているが全方向に旋回、起伏可能なジョイントを取り付け、それに伸縮可能な棒状柄を連結してもよい。
【００１６】
シート体２を装着する支持体３は平面視略矩形の薄形に形成されている。支持体３の上面側にはシート体２を係止させる４個の係止部５が設けられている。４個の係止部５は、矩形支持体３の長辺、短辺の各中心線に対して対称に配置されている。図３は図１のＡ−Ａ線に沿った支持体３の端面図である。図３に示すようにＡ−Ａ線に沿った部分の支持体３は、上面側から２個の係止部５、上面板６、下面板７、パッド８により構成されている。上面板６の幅は下面板７の幅より狭く形成され、上面板６と下面板７との間に空隙９が形成されるように斜めの側壁１０が設けられている。これら上面板６、下面板７、側壁１０は合成樹脂素材で形成されており、下面板７の下面側にはスポンジや厚めの不織布等によるパッド８が貼り付けてある。
【００１７】
シート体２を係止させるための各係止部５は、図４の斜視図に示すように蓋体１２と上面板６に開けた孔１４とで構成されている。蓋体１２は屈曲可能な弾性を有する材料にて略矩形の薄板状に形成されている。蓋体１２の一辺部は上面板６の幅方向中央部に接着により固定されており、図５に示すように対向する辺縁を指で持ち上げて蓋体１２の下面と上面板６との間に斜めに広がる空隙を形成させることができる。
【００１８】
蓋体１２の下面側には２個の突起１３が突出形成されており、上面板６には蓋体１２を図３に示すように上面板６に平行にしたときにその突起１３が入り込む孔１４が形成されている。図５は左右の蓋体１２の開放端部を指で持ち上げた状態の端面図である。持ち上げを止めると蓋体１２は弾性によって水平状態に戻り、図３に示すように突起１３が上面板６の孔１４に入り込んで孔１４が塞がれた状態になる。突起１３の長さは孔１４に挿入したときに先端が上面板６の下の空隙９に突出する長さにしてある。
【００１９】
このような構成の下でシート体２を支持体３に取り付ける際は支持体３を矩形シート体２の上に載せ、図６の端面図に示すように幅方向左右の蓋体１２の開放端部を持ち上げて蓋体１２と上面板６との間に斜めに広がる空隙を形成させる。そして、図６に示すようにシート体２を支持体３の底面側を包むように巻き付けて端部をその空隙に引き込む。その状態で蓋体１２の開放端部を押し下げ、シート体２の端部を間に挟んだ状態で蓋体１２の突起１３を上面板６の孔１４に図７のように押し込む。これによりシート体２の端部は突起１３の外面と孔１４の内面との間に挟まれ突起１３の弾性力で固定される。突起１３の弾性力を高めるため、突起１３には図７に示すように中心軸に沿って円筒状孔を設けるか、中心軸を通る横断溝を設けておくとよい。
【００２０】
蓋体１２の下面に形成する突起１３の個数は２個に限られず１乃至複数個でもよい。係止部５の数も支持体３の大きさにより加減するとよい。また、蓋体１２の下の上面板６部分は、その厚みを蓋体１２の厚み分だけ他の部分より薄く形成し、蓋体１２の上面が図４に示すように上面板６の他の部分の高さと同一になるようにするのが好ましい。
【００２１】
本実施形態の清掃用具１は突起１３も弾性体で形成されているので、シート体２の厚みに合わせて突起１３の外面と孔１４の内面との隙間間隔を調整しておくことでシート体２の端部を強固に固定することができる。また、シート体２の固定に際して従来品のように指先でシート体を先の尖ったフラップ間に押し込む必要がない。このため押し込む際に指先が痛んだり傷ついたり、マニキュアに傷がついたり剥がれたりする心配のない利点を有する。
【００２２】
また、従来品の場合はシート体を指先でフラップ間に押し込んで固定させるためフラップと底面板間の隙間間隔を大きくしておく必要がある。これに対して本実施形態の清掃用具１では、小さな突起１３を上面板６の下面側に先端が僅かに突出する程度に押し込むだけで十分であるので上面板６と下面板７との間の隙間間隔を小さくできる。従って、清掃用具１の全体の厚みを薄くできるため、柄の取り付け方を工夫することで上下間隔の狭い個所の清掃も可能になる利点を有する。
【符号の説明】
【００２３】
図面中、１は清掃用具、２はシート体、３は支持体、４は柄、５は係止部、６は上面板、７は底面板、８はパッド、９は空隙、１２は蓋体、１３は突起、１４は孔を示す。
【図１】
0003171189.tif 000003
【図２】
0003171189.tif 000004
【図３】
0003171189.tif 000005
【図４】
0003171189.tif 000006
【図５】
0003171189.tif 000007
【図６】
0003171189.tif 000008
【図７】
0003171189.tif 000009
【図８】
0003171189.tif 000010
【図９】
0003171189.tif 000011
【図１０】
0003171189.tif 000012